【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
基地局装置と端末装置とを備える通信システムにおける端末装置であって、
前記基地局装置から無線リソース要求に用いる上りリンク制御チャネルに関する送信設定として、第１の送信設定と第２の送信設定とを受信し、前記基地局装置から通知される情報に基づいて、前記第１の送信設定と前記第２の送信設定のうちの一方を適用して前記無線リソース要求を行うことを特徴とする端末装置。
【請求項２】
前記第２の送信設定を用いた前記無線リソース要求が可能であることを示す能力情報を端末装置能力メッセージに設定し、前記端末装置能力メッセージを前記基地局装置に対して送信することを特徴とする請求項１に記載の移動局装置。
【請求項３】
基地局装置と端末装置とを備える通信システムにおける基地局装置であって、
前記端末装置に対し、前記端末装置の無線リソース要求に用いられる上りリンク制御チャネルに関する送信設定として、第１の送信設定と第２の送信設定と、前記第１の送信設定と前記第２の送信設定のどちらを適用して前記無線リソース要求を行うかを示す情報を送信することを特徴とする基地局装置。
【請求項４】
前記端末装置から前記第２の送信設定を用いた前記無線リソース要求が可能であることを示す能力情報を含む端末装置能力メッセージを受信し、前記端末装置能力メッセージに基づいて前記第２の送信設定を前記端末装置に対して送信することを特徴とする請求項３に記載の基地局装置。
【請求項５】
基地局装置と端末装置とを備える通信システムにおける端末装置の通信方法であって、
前記基地局装置から無線リソース要求に用いる上りリンク制御チャネルに関する送信設定として、第１の送信設定と第２の送信設定とを受信するステップと、前記基地局装置から通知される情報に基づいて、前記第１の送信設定と前記第２の送信設定のうちの一方を適用して前記無線リソース要求を行うステップを少なくとも含むことを特徴とする通信方法。
【請求項６】
基地局装置と端末装置とを備える通信システムにおける基地局装置の通信方法であって、
前記端末装置の無線リソース要求に用いられる上りリンク制御チャネルに関する送信設定として、前記端末装置に対し、第１の送信設定と第２の送信設定と、前記第１の送信設定と前記第２の送信設定のどちらを適用して前記無線リソース要求を行うかを示す情報を送信するステップを少なくとも含むことを特徴とする通信方法。
【請求項７】
基地局装置と端末装置とを備える通信システムにおける端末装置に実装される集積回路であって、
前記基地局装置から無線リソース要求に用いる上りリンク制御チャネルに関する送信設定として、第１の送信設定と第２の送信設定とを受信する機能と、前記基地局装置から通知される情報に基づいて、前記第１の送信設定と前記第２の送信設定のうちの一方を適用して前記無線リソース要求を行う機能とを、少なくとも含む一連の機能を前記端末装置に発揮させる集積回路。
【請求項８】
基地局装置と端末装置とを備える通信システムにおける基地局装置に実装される集積回路であって、
前記端末装置の無線リソース要求に用いられる上りリンク制御チャネルに関する送信設定として、前記端末装置に対し、第１の送信設定と第２の送信設定と、前記第１の送信設定と前記第２の送信設定のどちらを適用して前記無線リソース要求を行うかを示す情報を送信する機能を、少なくとも含む一連の機能を前記基地局装置に発揮させる集積回路。
【手続補正２】
【補正対象書類名】明細書
【補正対象項目名】発明の名称
【補正方法】変更
【補正の内容】
【発明の名称】端末装置、基地局装置、通信システム、通信方法および集積回路
【手続補正３】
【補正対象書類名】明細書
【補正対象項目名】０００１
【補正方法】変更
【補正の内容】
【０００１】
本発明の実施形態は、移動局装置と基地局装置との間の無線リソース要求制御を効率的に行うことによって、無線リソースの利用効率を向上させる端末装置、基地局装置、通信システム、通信方法および集積回路の技術に関する。
【手続補正４】
【補正対象書類名】明細書
【補正対象項目名】０００８
【補正方法】変更
【補正の内容】
【０００８】
上記の課題を鑑みて、本発明の実施形態の目的は、端末装置と基地局装置との間の無線リソース要求制御を効率的に行うことによって、無線リソースの利用効率を向上させる端末装置、基地局装置、通信システム、通信方法および集積回路に関する技術を提供することを目的とする。
【手続補正５】
【補正対象書類名】明細書
【補正対象項目名】０００９
【補正方法】変更
【補正の内容】
【０００９】
上記の目的を達成するために以下のような手段を講じた。すなわち、本発明の実施形態における端末装置は、基地局装置と端末装置とを備える通信システムにおける端末装置であって、基地局装置から無線リソース要求に用いる上りリンク制御チャネルに関する送信設定として、第１の送信設定と第２の送信設定とを受信し、基地局装置から通知される情報に基づいて、第１の送信設定と第２の送信設定のうちの一方を適用して無線リソース要求を行う。
【手続補正６】
【補正対象書類名】明細書
【補正対象項目名】００１０
【補正方法】変更
【補正の内容】
【００１０】
また、本発明の実施形態における端末装置は、第２の送信設定を用いた無線リソース要求が可能であることを示す能力情報を端末装置能力メッセージに設定し、端末装置能力メッセージを基地局装置に対して送信する。
【手続補正７】
【補正対象書類名】明細書
【補正対象項目名】００１１
【補正方法】変更
【補正の内容】
【００１１】
また、本発明の実施形態における基地局装置は、基地局装置と端末装置とを備える通信システムにおける基地局装置であって、端末装置に対し、端末装置の無線リソース要求に用いられる上りリンク制御チャネルに関する送信設定として、第１の送信設定と第２の送信設定と、第１の送信設定と前記第２の送信設定のどちらを適用して前記無線リソース要求を行うかを示す情報を送信する。
【手続補正８】
【補正対象書類名】明細書
【補正対象項目名】００１２
【補正方法】変更
【補正の内容】
【００１２】
また、本発明の実施形態における基地局装置は、端末装置から第２の送信設定を用いた無線リソース要求が可能であることを示す能力情報を含む端末装置能力メッセージを受信し、端末装置能力メッセージに基づいて第２の送信設定を端末装置に対して送信する。
【手続補正９】
【補正対象書類名】明細書
【補正対象項目名】００１３
【補正方法】変更
【補正の内容】
【００１３】
また、本発明の実施形態における通信方法は、基地局装置と端末装置とを備える通信システムにおける端末装置の通信方法であって、基地局装置から無線リソース要求に用いる上りリンク制御チャネルに関する送信設定として、第１の送信設定と第２の送信設定とを受信するステップと、基地局装置から通知される情報に基づいて、第１の送信設定と第２の送信設定のうちの一方を適用して無線リソース要求を行うステップを少なくとも含む。
【手続補正１０】
【補正対象書類名】明細書
【補正対象項目名】００１４
【補正方法】変更
【補正の内容】
【００１４】
また、本発明の実施形態における通信方法は、基地局装置と端末装置とを備える通信システムにおける基地局装置の通信方法であって、端末装置の無線リソース要求に用いられる上りリンク制御チャネルに関する送信設定として、端末装置に対し、第１の送信設定と第２の送信設定と、第１の送信設定と第２の送信設定のどちらを適用して無線リソース要求を行うかを示す情報を送信するステップを少なくとも含む。
【手続補正１１】
【補正対象書類名】明細書
【補正対象項目名】００１５
【補正方法】変更
【補正の内容】
【００１５】
また、本発明の実施形態における集積回路は、基地局装置と端末装置とを備える通信システムにおける端末装置に実装される集積回路であって、基地局装置から無線リソース要求に用いる上りリンク制御チャネルに関する送信設定として、第１の送信設定と第２の送信設定とを受信する機能と、基地局装置から通知される情報に基づいて、第１の送信設定と第２の送信設定のうちの一方を適用して無線リソース要求を行う機能とを、少なくとも含む一連の機能を端末装置に発揮させる。
【手続補正１２】
【補正対象書類名】明細書
【補正対象項目名】００１６
【補正方法】変更
【補正の内容】
【００１６】
また、本発明の実施形態における集積回路は、基地局装置と端末装置とを備える通信システムにおける基地局装置に実装される集積回路であって、端末装置の無線リソース要求に用いられる上りリンク制御チャネルに関する送信設定として、端末装置に対し、第１の送信設定と第２の送信設定と、第１の送信設定と第２の送信設定のどちらを適用して無線リソース要求を行うかを示す情報を送信する機能を、少なくとも含む一連の機能を基地局装置に発揮させる。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】変更
【補正の内容】
【００２１】
本明細書では、効率的な無線リソース要求制御を実現する端末装置、基地局装置、通信システム、通信方法および集積回路という技術において各実施形態を開示するが、各実施形態に対して適用可能な通信方式は、ＥＵＴＲＡまたはＡｄｖａｎｃｅｄ  ＥＵＴＲＡのようにＥＵＴＲＡと上位互換性のある通信方式に限定されるものではない。
【手続補正１８】
【補正対象書類名】明細書
【補正対象項目名】００２６
【補正方法】変更
【補正の内容】
【００２６】
本発明の実施形態によれば、移動局装置と基地局装置との間の無線リソース要求制御を効率的に行うことによって、無線リソースの利用効率を向上させる端末装置、基地局装置、通信システム、通信方法および集積回路に関する技術を提供することが出来る。